(57)【要約】【課題】制振材等特別な部材を配置することなくスピーカ用フレームの共振残響音を低下させることができ、外観品質を良好なものとする。【解決手段】スピーカユニットにおける振動板のエッジ部が取り付けられる振動板取付部１１０と、振動板に配置されたボイスコイルを駆動する磁気回路が配置される磁気回路部品取付部１２０と、を備えるスピーカ用フレーム１００を、振動板取付部１１０と磁気回路部品取付部１２０とを別個の部材として構成し、振動板取付部１１０と磁気回路部品取付部１２０との間に配置され、振動板取付部と磁気回路部と結合する連結部１３０を固有振動数が異なる第１棒状連結部材１４０と第２棒状連結部材１５０とで構成した。【選択図】図１
2010035011.tif 000002
【特許請求の範囲】
【請求項１】
振動板のエッジ部を支持する振動板取付部と、
前記振動板に連結されたボイスコイルを駆動する磁気回路部品が配置される磁気回路部品取付部と、を備えるスピーカ用フレームであって、
前記振動板取付部と前記磁気回路部品取付部は別個の部材として構成され、
振動板取付部と磁気回路部品取付部との間に配置され、前記振動板取付部と磁気回路部と結合する連結部を固有振動数が異なる複数種類の棒状連結部材で構成したことを特徴とするスピーカ用フレーム。
【請求項２】
前記複数種類の棒状連結部材は、材質及び形状の少なくとも一方が異なることを特徴とする請求項１に記載のスピーカ用フレーム。
【請求項３】
前記連結部材は、複数種類の棒状連結部材を規則的に配置して構成したことを特徴とする請求項１又は２に記載のスピーカ用フレーム。
【請求項４】
前記棒状連結部材の端部には雄ねじ部が形成され、前記雄ねじ部にナットを取り付けることで前記棒状連結部材を振動板取付部及び前記磁気回路部品取付部に固定することを特徴とする請求項１乃至３のいずれか一項に記載のスピーカ用フレーム。
【請求項５】
前記棒状連結部材と、ナットの材質が異なることを特徴とする請求項４に記載のスピーカ用フレーム。
【請求項６】
前記棒状連結部材の端部には雌ねじ部が形成され、該雌ねじ部に螺着した雄ねじを用いて、前記棒状連結部材を前記振動板取付部及び前記磁気回路部品取付部に固定することを特徴とする請求項１乃至３のいずれか一項に記載のスピーカ用フレーム。
【請求項７】
前記棒状連結部材の一端部には、略球形の頭部を形成したことを特徴とする請求項１乃至６のいずれか一項に記載のスピーカ用フレーム。
【請求項８】
前記棒状連結部材は球形のワッシャ部材を用いて前記振動板取付部又は磁気回路部品取付部に取り付けられていることを特徴とする請求項１乃至６のいずれか一項に記載のスピーカ用フレーム。
【請求項９】
前記振動板取付部及び前記磁気回路部品取付部における前記棒状連結部材の球形頭部及び球形のワッシャ部材の接触面には、異音発生防止用の固着剤を配置するための凹部が形成されていることを特徴とする請求項７、又は８に記載のスピーカ用フレーム。
【請求項１０】
請求項１乃至９のいずれか一項に記載のスピーカ用フレームを備えたことを特徴とするスピーカユニット。
【発明の詳細な説明】
【技術分野】
【０００１】
本発明はスピーカ用フレーム及びスピーカに関し、特に振動板のエッジ部を取り付ける振動板取付部と、前記振動板に配置されたボイスコイルを駆動する磁気回路を配置する磁気回路部品取付部と、を備えるスピーカ用フレーム及びこのスピーカ用フレームを使用したスピーカユニットに関する。
【背景技術】
【０００２】
一般のスピーカは、磁気回路部品（ヨーク、プレート、マグネット）に振動系部品（ボイスコイル、ダンパ、振動板）を組み付けた構造のスピーカユニットを、筐体によって支持した構成を備えている。
スピーカユニットとしてダイナミック型のものがあり、このタイプのスピーカユニットは、概略以下の構成を備えている。図９はダイナミック型スピーカユニットの概略構造を示す模式図である。スピーカユニット３００は、スピーカ用フレーム３１０に対して、磁気回路部品３２０と振動系部品３３０とを配置した構成を備えている。
磁気回路部品３２０は、永久磁石３２１と、この永久磁石３２１の前面（放音側前面）に取り付けられたポールピース３２２と、永久磁石３２１の後面と接触し且つ永久磁石の側方にまで回り込むように配置されたヨーク３２３と、ヨーク３２３の先端に取り付けられ、ポールピース３２２との間に磁気ギャップ３６０を形成するトッププレート３２４とから構成されている。このような構造により磁気回路は磁気ギャップ３６０に磁場を形成する。
【０００３】
また、振動系部品３３０は、振動板３３１と、ボイスコイル３３３と、ダンパ３３４と、を備えている。振動板３３１は、その周囲に形成されたエッジ部３３１ａを介してスピーカ用フレーム３１０の内周に接着されている。振動板３３１の内周に固定された円筒状のボビン３３２が磁気ギャップ３６０内に挿入される。このボビン３３２には駆動信号が印加されるボイスコイル３３３が巻回されており、ボビン３３２に駆動信号が印加されると、ボビン３３２は磁場との間に発生する電磁気力で振動し、振動板３３１はボビン３３２と共に振動して音声を発生する。なお、ボビン３３２は、ダンパ３３４で支持され、磁気ギャップ３６０中をポールピース３２２及びトッププレート３２４に触れることなく移動できるように配置される。なお、本例では振動板３３１の中央部にはキャップ３３５が配置されている。
このようなスピーカユニットに使用されるスピーカ用フレームとして、磁気回路部品の外部を覆い、磁気回路部品が配置される磁気回路部品取付部と、振動系部品の周囲に配置され、内周に振動板のエッジ部が貼付される振動板取付部とを備えたものがある。
【０００４】
図１０は従来のスピーカ用フレームを示す斜視図である。このスピーカ用フレーム４００は、円環状の振動板取付部４１０と、振動板取付部４１０に連設された円筒状の磁気回路部品取付部４２０とを備えており、振動板取付部４１０と磁気回路部品取付部４２０との間を連結するために放射状に配置された複数本の連結脚部４３０とから構成されている。このスピーカ用フレーム４００は、一般に鉄板材をプレス加工により所定形状に成形するか、又は、アルミニウム合金をダイキャスト射出成形して所定の形状に形成される。
特許文献１には、このようなスピーカ用フレームとして、振動板のエッジが取り付けられる振動板取付部と、振動板と接続されたボイスコイルを振動させるための磁気回路が取り付けられる磁気回路部品取付部と、振動板取付部と磁気回路部品取付部との間に架設され振動板取付部と磁気回路部品取付部を相互に結合する脚部とを備えるスピーカ用フレームが記載されている。
【特許文献１】特開２００２−１４２２９０公報
【発明の開示】
【発明が解決しようとする課題】
【０００５】
ところで、スピーカユニットの口径、入出力パワーが大きくなるとそれに伴って磁気回路部品やその他の部材が大型化してその質量が大きくなり、スピーカ用フレームもこれらの質量を保持できるよう高い剛性を備える必要がある。
しかしながら、従来の鋼製やアルミダイキャスト製のスピーカ用フレームではスピーカユニットを駆動したときスピーカ用フレームの共振残響音が再生音に強い影響を与え、スピーカの再生音質に悪影響を及ぼすことがある。
このような事態に対処して、スピーカ用フレームにフエルト、クッション材等の制振材を配置することがあるが、このような制振材を配置すると部品点数が増加するとともに制振材を貼付する分手間がかかりコストが嵩む他、スピーカの外観品質が低下するという問題がある。
そこで、本発明は制振材等、特別な部材を配置することなくスピーカ用フレームの共振残響音を低下させることができ、外観品質を良好なものにできるスピーカ用フレーム及びスピーカを提供することを目的とする。
【課題を解決するための手段】
【０００６】
上記目的を達成するため、請求項１の発明は、スピーカにおける振動板のエッジ部が取り付けられる振動板取付部と、振動板に配置されたボイスコイルを駆動する磁気回路が配置される磁気回路部品取付部と、を備えるスピーカ用フレームであって、振動板取付部と磁気回路部品取付部は別個の部材として構成され、振動板取付部と磁気回路部品取付部との間に配置され、振動板取付部と磁気回路部と結合する連結部を固有振動数が異なる複種種類の棒状連結部材で構成したことを特徴とする。連結部を構成する複数の棒状連結部材は固有振動数が異なり単一周波数における共振残響が防止でき、共振残響は複数の周波数における低い値のものに分散することができるので、特に別部材としての制振材を配置することなくスピーカ用フレームの共振残響音の音圧を低下させることができる他、制振材等を付加する必要がないので外観品質を低下させることがない。
請求項２の発明は、請求項１に記載スピーカ用フレームにおいて、棒状連結部は、材質及び形状の少なくとも一方が異なることを特徴とする。棒状連結部材の共振周波数を異なるようにするには、その材質及び形状の一方がもしくはその両方を異なるものとすればよく、このようにすれば、棒状連結部材の共振周波数を各種類のものにおいて変えることができる。
請求項３の発明は、請求項１又は２に記載のスピーカ用フレームにおいて、連結部材は、複数種類の棒状連結部材を規則的に配置して構成したことを特徴とする請求項１である。複数種類の棒状連結部材を規則的に配置することにより、スピーカ用フレームの剛性を各部において略均一とすることができる他、規則的に複数種の棒状連結部材が配置されることにより、スピーカ用フレームのデザイン性を向上させるとことができる。
【０００７】
請求項４の発明は、スピーカ用フレームにおいて、棒状連結部材の端部には雄ねじ部が形成され、雄ねじ部にナットを取り付けることで棒状連結部材を振動板取付部及び磁気回路部品取付部に固定することを特徴とする請求項１乃至３のいずれか一項に記載のである。棒状連結部材の端部の雄ねじ部をナットで締結することによりスピーカ用フレームが組み立てられるので、棒状連結部材のエッジ部及び磁気回路部品取付部への取付強度を確実に保持することができる他、カシメや溶接による接合に比して外観品質を良好なものとできる。
請求項５の発明は、スピーカ用フレームにおいて、棒状連結部材と、ナットとの材質が異なることを特徴とする請求項４に記載のである。棒状連結部材とナットの材質を交互に変更すれば、デザイン性に優れたものとすることができる。
請求項６の発明は、請求項１乃至３のいずれか一項に記載のスピーカ用フレームにおいて、前記棒状連結部材の端部には雌ねじ部が形成され、該雌ねじ部に螺着した雄ねじを用いて、前記棒状連結部材を振動板取付部及び前記磁気回路部品取付部に固定することを特徴とする。
【０００８】
請求項７の発明は、請求項１乃至６のいずれか一項に記載のスピーカ用フレームにおいて、棒状連結部材の一方には、略球形の頭部を形成したことを特徴とする。棒状連結部材の頭部を球形とすることにより、振動板取付部又は磁気回路部品取付部の頭部の当たり面部を単純な形としても頭部の接触性が確保でき、振動板取付部及び磁気回路部品取付部のダイキャスト金型を上下抜きの単純なものとできる。
請求項８の発明は、請求項１乃至６のいずれか一項に記載スピーカ用フレームにおいて、棒状連結部材は球形のワッシャ部材を用いて振動板取付部又は磁気回路部品取付部に配置されていることを特徴とする。ワッシャ部材を球形とすることにより、振動板取付部又は磁気回路部品取付部のワッシャ部材の当たり面部を球面状の凹部や単なる角穴などの単純な形としてもワッシャ部の接触性が確保でき、振動板取付部及び磁気回路部品取付部のダイキャスト金型を上下抜きの単純なものとできる。
請求項９の発明は、請求項７、又は８に記載のスピーカ用フレームにおいて、振動板取付部及び磁気回路部品取付部における棒状連結部材の球形頭部及び球形のワッシャ部材の接触面には、異音発生防止用の固着剤を配置するための凹部が形成されていることを特徴とする。固着剤注入に際して確実に薬剤を球形頭部及びワッシャ部材の接触部に注入することができる。
請求項１０の発明は、請求項１乃至９のいずれか一項に記載のスピーカ用フレームを備えることを特徴とするスピーカである。本例によれば、スピーカ用フレームの共振残留音を低減することができるので、スピーカの出力特性はスピーカ用フレームの共振残留音で劣化することがなく、スピーカの出力音声を高品位のものとできる。
【発明の効果】
【０００９】
本発明によれば、制振材等特別な部材を配置することなくスピーカ用フレームの共振残響音の低下させることができる。また、本発明によれば、異なる材質形状の棒状連結部材を規則的に配置してデザイン性の高い見栄えのよいスピーカ用フレームを提供することができる。更に本発明によれば、スピーカ用フレームの共振残響音が少ない高品位の特性を備えたスピーカを提供できる。
【発明を実施するための最良の形態】
【００１０】
以下、本発明に係るスピーカ用フレームを図面に示した実施の形態に基づいて詳細に基づいて説明する。
図１は本発明の第１の実施の形態例に係るスピーカ用フレームを示す斜視図、図２は図１に示したスピーカ用フレームの拡大斜視図である。
本発明のスピーカ用フレーム１００を備えたスピーカユニットは、磁気回路部品（ヨーク、プレート、マグネット）に振動系部品（ボイスコイル、ダンパ、振動板）を組み付けた構造を備えている。
スピーカ用フレーム１００は、図示しない振動板のエッジ部を支持する環状の振動板取付部１１０と、振動板取付部１１０よりも小径で磁気回路部品を支持する円筒状の磁気回路部品取付部１２０とを別個の部材としてアルミダイキャストにて製造している。前後位置関係で同軸状に配置された振動板取付部１１０と磁気回路部品取付部１２０との間には、連結部１３０として２種類の異なる金属で形成された２種類の棒状連結部材、即ちステンレス鋼材で構成された複数本、例えば１４本の第１棒状連結部材１４０と、真鍮材で構成された複数本、例えば１４本の第２棒状連結部材１５０とが配置され、振動板取付部１１０及び磁気回路部品取付部１２０を結合している。
【００１１】
ここで、振動板取付部１１０は円環状であり第１棒状連結部材１４０及び第２棒状連結部材１５０の前端部を挿入固定する取付用の穴部が振動板取付部１１０の上面と下面を貫通するように開設されている。また、磁気回路部品取付部１２０は円筒状の部材であり、円筒状の本体の外周には第１棒状連結部材１４０及び第２棒状連結部材１５０の後端部を固定する薄板円環状の取付用フランジ部１２１が張出し形成される。取付用フランジ部１２１には第１棒状連結部材１４０及び第２棒状連結部材１５０の後端部を挿入して支持する取付用の穴部が開設されている。
【００１２】
本実施形態では、連結部１３０において、第１棒状連結部材１４０及び第２棒状連結部材１５０は、振動板取付部１１０と磁気回路部品取付部１２０の間に等間隔でＸ字状に交差するように規則的に配置されている。このため、本例に係るスピーカ用フレーム１００はデザイン性に優れ、見栄えのよいものとなっている。なお、上記例では第１棒状連結部材１４０をステンレス鋼製、第２棒状連結部材１５０を真鍮製としているが、材質はこれら限定されるものではなく、棒状連結部材は他の金属材料、或いはエンジニアリングプラスチック等で作成することができる。
また、本実施形態例では第１棒状連結部材１４０及び第２棒状連結部材１５０は、振動板取付部１１０と、磁気回路部品取付部１２０に形成された取付用フランジ部１２１との間に配置され、振動板取付部１１０に設けた穴部内に前端部に設けた雄ねじ部を没入して図示しないナットにより締結固定し、且つ取付用フランジ部１２１の下面側に後端部に設けた雄ねじ部を突出させ、この雄ねじ部をナット１６０で締結固定するようにしている。このとき、前端側ナット、及びナット１６０が、夫々磁気回路部品取付部１２０の前面及び取付用フランジ部１２１の後面１２１ａに面接触できるように、第１棒状連結部材１４０及び第２棒状連結部材１５０の前後両端部に形成される雄ねじ部は取付用フランジ部１２１に対して所定角度（図２中θ）だけ傾斜して設けられることが好ましい。
【００１３】
次に、本例に係るスピーカ用フレーム１００の共振残響音特性について行った実験について説明する。図３はスピーカ用フレームの残響共振特性を示すグラフであり、（ａ）は従来のスピーカ用フレームの共振残響特性を示すグラフ、（ｂ）は本例に係るスピーカ用フレームの残響共振特性を示すグラフである。図３（ａ）に示すように、従来のアルミダイキャスト製のスピーカ用フレームでは単一周波数での残響時間が長くなっており、この共振残響音がいわゆるフレーム鳴きを生じさせ、歪音が大きくなる等の不具合の原因となる。
一方、本実施形態に係るスピーカ用フレームでは、残響共振音の周波数を示すピークが多数に分散されており、また、残響時間が短くなっている。これは、フレームの振動板取付部１１０、磁気回路部品取付部１２０をアルミダイキャスト製とし、第１及び第２棒状連結部材１４０、１５０をステンレス鋼製及び真鍮製としたので、これらの異なる材質で形成された部材の持つ固有共振点、共振周波数が異なってくることに起因すると考えられる。これを検証するため、同様の実験として、棒状連結部材を真鍮のみ、ステンレスのみの条件で行った。この場合も、従来のアルミダイキャスト製の場合より残響時間は短かったが、本実施形態の優れた効果には及ばなかった。このことから、構成される材質の種類を複数とし、それぞれの持つ固有共振点、共振周波数の異なるもので組み立てられたスピーカ用フレームは、共振周波数が分散されることがわかる。
【００１４】
次に第２の実施形態例に係るスピーカ用フレームについて説明する。図４は第２の実施形態例に係るスピーカ用フレームを示す斜視図、図５は図４に示したスピーカ用フレームの正面側からの部分拡大斜視図、図６は図４に示したスピーカ用フレームを示すものであり、（ａ）は裏面からの拡大斜視図、（ｂ）は棒状連結部材の斜視図、（ｃ）は棒状連結部材の斜視図である。
本実施形態のスピーカ用フレーム２００は、振動板のエッジ部を支持する振動板取付部２１０と磁気回路部品取付部２２０とがアルミダイキャストにより別個の部材として構成されている。そして、前後位置関係、且つ同軸状に配置された振動板取付部２１０と磁気回路部品取付部２２０との間を、連結部２３０として異なる３種類、即ち第１、第２及び第３棒状連結部材２４０、２５０、２６０で連結している。本実施形態では、各棒状連結部材２４０、２５０、２６０はそれぞれ４本ずつ配置されている。
振動板取付部２１０は円環状であり第１、第２及び第３棒状連結部材２４０、２５０、２６０取付用の穴部が振動板取付部２１０の上面と下面を貫通するように開設されている。なお、本実施形態では第３棒状連結部材２６０の振動板取付部２１０への組み付け性向上のため、振動板取付部２１０に開設された穴部２１１は、振動板取付部２１０の内周縁にまで及ぶ開口を備えるようにしている。つまり、穴部２１１は振動板取付部２１０の内周縁で開口している。また、磁気回路部品取付部２２０は内部が貫通した円筒状の部材であり、第１、第２及び第３棒状連結部材２４０、２５０、２６０の取付用フランジ部２２１が外周面に張出し形成され、取付用フランジ部２２１には第１棒状連結部材２４０取付用の取付片部２２２が形成されている他、第２及び第３棒状連結部材２５０、２６０取付用の穴部が開設されている。
【００１５】
第１棒状連結部材２４０は、振動板取付部２１０及び磁気回路部品取付部２２０に対して直交して配置される。即ち、第１棒状連結部材２４０はステンレス鋼、又は／及び、真鍮を素材とし、図６（ｂ）に示すように、大径の軸部２４１の両端に段差状に肩部２４３及び小径の雄ねじ部２４２を備えて構成されている。第１棒状連結部材２４０は振動板取付部２１０と磁気回路部品取付部２２０の取付用フランジ部２２１に形成された取付孔に挿入され、両雄ねじ部２４２にナット２７０がねじ込まれ、肩部２４３とナット２７０との間で振動板取付部２１０及び磁気回路部品取付部２２０を固定する。このときステンレス鋼を素材とするものと、真鍮を素材とするものとを交互に配置することができ、この場合スピーカ用フレーム２００のデザイン性を向上させることができる他、第１棒状連結部材２４０の共振残響音周波数を２種類とすることができ、スピーカ用フレームの共振残響特性を改善することができる。
また、第２及び第３棒状連結部材２５０、２６０は、同じ形状を備え且つ異なる材質、本実施形態では、ステンレス鋼と真鍮とで夫々構成されている。本実施形態では、例えば第２棒状連結部材２５０は、ステンレス鋼で構成されており、第３棒状連結部材２６０は真鍮により構成され、軸部２５１、２６１の後端部に略球形の頭部２５２、２６２が形成されている。また軸部２５１、２６１の他端（前端）には、段差状の肩部２５３、２５３及び雄ねじ部２５４、２６４が形成されており、この雄ねじ部２５４、２６４には、略球形のワッシャ部材２８０を介してナット２９０がねじ込まれるようになっている。
【００１６】
本実施形態では棒状連結部材２４０、２５０は振動板取付部２１０及び磁気回路部品取付部２２０に対して所定の角度を持って傾斜し、且つ交差するように配置されている。このように異なる材質の２種類の棒状連結部材２４０、２５０を使用することにより、共振残響音の周波数を分散して残響特性を改善することができる。また、異なる素材の棒状連結部材を交互に配置することで、デザイン性に優れたものとすることができる。
ワッシャ部材２８０は、アルミニウム合金、ステンレス鋼、真鍮等の金属、エンジニアリングプラスチック等の合成樹脂を素材とすることができる。また、ナット２９０はアルミニウム合金、ステンレス鋼、真鍮を素材とすることができる。ワッシャ部材２８０及びナット２９０は、取り付ける第２及び第３棒状連結部材２５０、２６０と同じ素材、あるいは異なる素材のものを使用することができる。棒状連結部材と異なる素材のワッシャ及びナットを使用すれば、共振残響音の周波数を分散して、スピーカ用フレームの共振残響特性を改善することができる他、スピーカ用フレームのデザイン性を高めることができる。
【００１７】
次に、図７（ａ）及び（ｂ）は、他の実施形態に係る棒状連結部材２５５の構成を示す正面図、及び側面図であり、この棒状連結部材２５５は、上記各実施形態における棒状連結部材１４０，１５０、２５０，２６０に代えて使用することができる。
この棒状連結部材２５５は、軸方向両端面に軸方向と斜めに交差する方向へ延びる肩部２５６ａを有した軸部２５６と、各肩部２５６ａの中心部から肩部と直交する方向へ突設された雄ねじ部２５７と、を備えている。両肩部２５６ａは互いに平行な面となっているため、振動板取付部や取付用フランジ部の取付け面に対して面接触することができる一方で、振動板取付部や取付用フランジ部に設けた穴部内に雄ねじ部２５７を差し込んでナットにより固定することができる。つまり、棒状連結部材の軸部と雄ねじ部は直線状である必要はなく、本例のように斜めに交差する形状であってもよく、本実施形態の方が取付け作業性を向上させることができる。
【００１８】
次に、図８（ａ）乃至（ｅ）は本発明の他の実施形態に係る棒状連結部材２５８の構成を示す正面図、側面図、平面図、底面図、及び断面図である。
この棒状連結部材２５８は、軸部２５８ａの両端部に雌ねじ部２５８ｂが形成され、雌ねじ部２５８ｂに螺着した図示しない雄ねじを用いて、棒状連結部材２５８を振動板取付部及び磁気回路部品取付部に固定するようにした点が特徴的である。
この棒状連結部材２５８は、軸方向両端面に軸方向と斜めに交差する方向へ延びる端面２５８ｂを有した軸部２５８ａと、両端面２５８ｂの中心部から軸部側面にかけて貫通形成された穴状の雌ねじ部２５８ｃと、を有している。雌ねじ部２５８ｃは、軸部の軸方向に対して所定角度傾斜した肩部の面と直交する穴であり、軸部の側面にて開口している。
なお、雌ねじ部に代えて単なる穴を設けても良い。
両端面２５８ｂを振動板取付部及び磁気回路部品取付部に面接触させた状態で、各雌ねじ部２５８ｃを振動板取付部及び磁気回路部品取付部に設けた穴部に連通させ、この状態で雌ねじ部２５８ｃから差し込んだ雄ねじを前記各穴部に螺着することにより、棒状連結部材２５８を取り付けることができる。
【００１９】
なお、振動板取付部及び磁気回路部品取付部における棒状連結部材の頭部及びワッシャの当接部には、緩み防止及びビリ防止のための接着剤を塗布するため、振動板取付部及び磁気回路部品取付部に接着材注入用溝部又は接着剤注入用穴部を形成することができる。このような構成によれば、スピーカ用フレームの組み立時に接着剤を容易に配置することができる。
また、振動板取付部及び磁気回路部品取付部における棒状連結部材の頭部及びワッシャ部材が当接する部分は、貫通した穴部である必要はなく、円弧状の内壁を有した凹部としてもよい。また、振動板取付部又は磁気回路部品取付部において雄ねじ部を斜めに挿入させる穴部は、必ずしも雄ねじ部を緊密に挿入支持する内径を有する斜めの穴部（内壁が各取付部と傾斜した穴部）である必要はなく、内壁が各取付部と直交する単純な長方形（長円形）の長穴としてもよい。このような構成によれば、振動板取付部及び磁気回路部品取付部の製造型を上下抜きできる単純な構造とすることができる。
更に、磁気回路部品取付部の取付用フランジ部に設けた棒状連結部材取付用の穴部は棒状連結部材の組み付け性を良好なものとするため、取付用フランジ部の外周縁部にまで延長形成して外周縁部にて開口させるようにしてもよい。このような構成によれば、第２及び第３棒状連結部材の雄ねじ部を取付用フランジ部の外側からはめ込むように組み付けることができ、スピーカ用フレームの組み立てを容易に行えるようになる。
【００２０】
なお、上記各例では各部の素材を、真鍮、ステンレス等、強度の高い金属を素材とした例を説明したが、高入出力、大口径など高い性能を求められない一般的な家庭用、車載用のスピーカユニットを対象とする場合には、棒状連結部材として鉄、合成樹脂を素材としたものを使用することができる。合成樹脂としてはエンジニアリングプラスチックを採用することができ、例えば同じＡＢＳ樹脂を素材とするものであっても、強化材としてグラスファイバー等が混入されたもの、或いは混入されないものを使用して、同形状の部材でも共振残響音の周波数を分散させることができる。異なる特性を備えた合成樹脂製の棒状連結部材を採用すれば、スピーカユニットの音質を向上させることができる他、スピーカの軽量化を果たすことができる。
振動板取付部及び磁気回路部品取付部における棒状連結部材の球形頭部及び球形のワッシャ部材の接触面には、異音発生防止用の固着剤を配置するための凹部を形成してもよい。即ち、球形頭部、球形のワッシャ部材にはナットの緩み、ビリ防止のためのボンドロックを考慮して、予め接着剤注入ノズル用の溝穴を形成してもよい。
以上説明したように本発明に係るスピーカ用フレームによれば、共振残響音の特性を良好なものとすることができ、また、このスピーカ用フレームを使用したスピーカユニットの音響特性を良好なものとすることができる。
【図面の簡単な説明】
【００２１】
【図１】第１の実施の形態例に係るスピーカ用フレームを示す斜視図である。
【図２】図１に示したスピーカ用フレームの拡大斜視図である。
【図３】スピーカ用フレームの残響共振特性を示すグラフ図であり、（ａ）は従来のスピーカ用フレームの共振残響特性を示すグラフ図、（ｂ）は本実施形態に係るスピーカ用フレームの残響共振特性を示すグラフ図である。
【図４】第２の実施形態例に係るスピーカ用フレームを示す斜視図である。
【図５】図４に示したスピーカ用フレームの正面側からの部分拡大斜視図である。
【図６】図４に示したスピーカ用フレームを示すものであり、（ａ）は裏面からの拡大斜視図、（ｂ）は棒状連結部材の斜視図、（ｃ）は棒状連結部材の斜視図である。
【図７】（ａ）及び（ｂ）は、他の実施形態に係る棒状連結部材２５５の構成を示す正面図、及び側面図である。
【図８】（ａ）乃至（ｅ）は本発明の他の実施形態に係る棒状連結部材２５８の構成を示す正面図、側面図、平面図、底面図、及び断面図である。
【図９】ダイナミック型スピーカの概略構造を示す模式図である。
【図１０】従来のスピーカ用フレームを示す斜視図である。
【符号の説明】
【００２２】
１００  スピーカ用フレーム、１１０  振動板取付部、１２０  磁気回路部品取付部、１２１  取付用フランジ部、１２１ａ  下側面、１３０  連結部、１４０  第１棒状連結部材、１４１  軸部、１４２  頭部、１５０  第２棒状連結部材、１５１  軸部、１６０  ナット、２００  スピーカ用フレーム、２１０  振動板取付部、２１１  穴部、２２０  磁気回路部品取付部、２２１  取付用フランジ部、２２２  取付片部、２３０  連結部、２４０  第１棒状連結部材、２４１  軸部、２４２  雄ねじ部、２４３  肩部、２５０  第２棒状連結部材、２５１  軸部、２５２  頭部、２５３  肩部、２５４  雄ねじ部、２６０  第３棒状連結部材、２６１  軸部、２６２  頭部、２６３  肩部、２６４  雄ねじ部、２７０  ナット、２８０  ワッシャ部材、２９０  ナット、２５６  棒状連結部材、２５６ａ  肩部、２５７  雄ねじ部、２５８  棒状連結部材、２５８ａ  軸部、
２５８ｂ  端面、２５８ｃ  雌ねじ部
【図１】
2010035011.tif 000003
【図２】
2010035011.tif 000004
【図３】
2010035011.tif 000005
【図４】
2010035011.tif 000006
【図５】
2010035011.tif 000007
【図６】
2010035011.tif 000008
【図７】
2010035011.tif 000009
【図８】
2010035011.tif 000010
【図９】
2010035011.tif 000011
【図１０】
2010035011.tif 000012